(57)【要約】本発明は、広帯域二重偏波４リーフクローバー平面アンテナを開示し、当該アンテナが２Ｇ／３Ｇ／ＬＴＥ（４Ｇ）システムに適用され、アンテナ放射ユニット、反射板および２本の給電線を含む。前記アンテナ放射ユニットは、断熱支持構造により反射板の真上に固定され、＋４５°偏波４リーフクローバー振動子と−４５°偏波４リーフクローバー振動子を含み、４リーフクローバー振動子が放射アームとマイクロストリップ線路を含み、放射アームが４リーフクローバー形放射アームであって誘電体基板上にエッチングされ、マイクロストリップ線路が放射アームに電力を供給することに用いられ、また誘電体基板上にエッチングされる。２本の給電線の各々は、それぞれ＋４５°／−４５°偏波４リーフクローバー振動子のマイクロストリップ線路に接続される。【選択図】図１
2016524414.tif 000002
【特許請求の範囲】
【請求項１】
広帯域二重偏波４リーフクローバー平面アンテナであって、
アンテナ放射ユニット、反射板、第一の給電線および第二の給電線を含み、前記アンテナ放射ユニットが支持構造により反射板の上に固定され、前記アンテナ放射ユニットが平面構造であり、前記アンテナ放射ユニットが４リーフクローバー振動子と誘電体基板を備え、前記４リーフクローバー振動子が＋４５°偏波４リーフクローバー振動子と−４５°偏波４リーフクローバー振動子を含み、前記４リーフクローバー振動子が放射アームとマイクロストリップ線路を含み、前記放射アームが４リーフクローバー形放射アームであり、前記放射アームが第一の放射アームと第二の放射アームを含み、前記＋４５°偏波４リーフクローバー振動子の第一の放射アームが＋４５°偏波４リーフクローバー振動子のマイクロストリップ線路に接続され、前記＋４５°偏波４リーフクローバー振動子の第一の放射アームが誘電体基板の表面にエッチングされ、前記＋４５°偏波４リーフクローバー振動子の第二の放射アームが誘電体基板の裏面にエッチングされ、前記−４５°偏波４リーフクローバー振動子の第一の放射アームが−４５°偏波４リーフクローバー振動子のマイクロストリップ線路に接続され、前記−４５°偏波４リーフクローバー振動子の第一の放射アームが誘電体基板の裏面にエッチングされ、前記−４５°偏波４リーフクローバー振動子の第二の放射アームが誘電体基板の表面にエッチングされ、前記＋４５°偏波４リーフクローバー振動子のマイクロストリップ線路が誘電体基板の表面にエッチングされ、前記−４５°偏波４リーフクローバー振動子のマイクロストリップ線路が誘電体基板の裏面にエッチングされ、前記第一の給電線が＋４５°偏波４リーフクローバー振動子のマイクロストリップ線路に接続され、前記第二の給電線が−４５°偏波４リーフクローバー振動子のマイクロストリップ線路に接続される、
広帯域二重偏波４リーフクローバー平面アンテナ。
【請求項２】
前記アンテナ放射ユニットが軸対称構造であり、前記アンテナ放射ユニットが対称軸を備え、前記対称軸がアンテナ放射ユニットの中心位置を通り、前記対称軸が＋４５°対称軸と−４５°対称軸を含み、前記＋４５°偏波４リーフクローバー振動子が＋４５°対称軸に位置する第一の放射アーム、第二の放射アームおよび＋４５°対称軸に位置するマイクロストリップ線路を含み、前記−４５°偏波４リーフクローバー振動子が−４５°対称軸に位置する第一の放射アーム、第二の放射アームおよび−４５°対称軸に位置するマイクロストリップ線路を含むことを特徴とする
請求項１に記載の広帯域二重偏波４リーフクローバー平面アンテナ。
【請求項３】
前記４リーフクローバー形放射アームが４リーフクローバー形構造であり、前記４リーフクローバー形構造が台形構造と楕円形構造を含み、前記放射アームの長さ範囲が２０．４５４〜４７．７２６ｍｍであることを特徴とする
請求項１に記載の広帯域二重偏波４リーフクローバー平面アンテナ。
【請求項４】
＋４５°偏波４リーフクローバー振動子が励起された場合、−４５°偏波４リーフクローバー振動子が無給電ユニットとされ、−４５°偏波４リーフクローバー振動子が励起された場合、＋４５°偏波４リーフクローバー振動子が無給電ユニットとされ、隣接する２つの４リーフクローバー形放射アームの台形斜辺の間の角度範囲が０°〜４０°であることを特徴とする
請求項１または２に記載の広帯域二重偏波４リーフクローバー平面アンテナ。
【請求項５】
前記マイクロストリップ線路の特性インピーダンスの値の範囲が４０〜６０Ωであり、前記マイクロストリップ線路の長さ範囲が０〜１６．４７２ｍｍであることを特徴とする
請求項１または２に記載の広帯域二重偏波４リーフクローバー平面アンテナ。
【請求項６】
前記支持構造の高さ範囲が１３．６３６〜６８．１８ｍｍであることを特徴とする
請求項１〜３のいずれか１項に記載の広帯域二重偏波４リーフクローバー平面アンテナ。
【請求項７】
前記台形構造は、等脚台形構造であることを特徴とする
請求項３に記載の広帯域二重偏波４リーフクローバー平面アンテナ。
【請求項８】
前記支持構造は、断熱支持構造であり、前記断熱支持構造がプラスチック棒または木棒であることを特徴とする
請求項１〜３のいずれか１項に記載の広帯域二重偏波４リーフクローバー平面アンテナ。
【請求項９】
前記反射板が側辺付き構造であり、前記側辺が反射板の表面から突出することを特徴とする
請求項１〜３のいずれか１項に記載の広帯域二重偏波４リーフクローバー平面アンテナ。
【発明の詳細な説明】
【技術分野】
【０００１】
本発明は、移動通信基地局アンテナ技術に関し、特に広帯域二重偏波４リーフクローバー平面アンテナに関する。
【背景技術】
【０００２】
移動通信技術の高速な発展に伴い、異なる周波数帯域を使用する移動通信システムが、次々と登場している。現在、中国では２Ｇ、３Ｇ、ＬＴＥ（４Ｇ）システムが存在し、２Ｇシステムが周波数帯域１７１０−１８５０ＭＨｚを使用し、ＧＳＭ１８００などのシステムを含み、３Ｇシステムが周波数帯域１８８０−２１７０ＭＨｚを使用し、中国電信のｃｄｍａ２０００システム、中国移動のＴＤ−ＳＣＤＭＡシステムおよび中国聯通のＷＣＤＭＡシステムを含み、２．３ＧＨｚ周波数帯域（２３００−２４００ＭＨｚ）と２．６ＧＨｚ周波数帯域（２５００−２６９０ＭＨｚ）がＬＴＥ（４Ｇ）周波数帯域に分けられるのに伴い、中国の無線通信システムは、現在、１７１０−２６９０ＭＨｚ周波数帯域を覆った。したがって、新しく設計されて取り付けられた基地局アンテナは、帯域幅が１７１０−２６９０ＭＨｚを完全に覆うことを要求されて同時に異なる移動通信システムをサポートする。且つ無線移動サービスを使用するユーザが爆発的に増加し、通信システムの容量が拡大されるので、周波数帯域を拡張しても、もはや要求を満たすことができない。二重偏波アンテナは、偏波ダイバーシティ、周波数分割多重などの技術を適用し、通信システムの容量を効果的に向上させ、基地局アンテナに広く応用される。したがって、２Ｇ、３Ｇ、ＬＴＥシステムを同時にサポートすることができる広帯域二重偏波移動通信基地局アンテナは、十分に重要な実用価値と市場価値を持っている。
【０００３】
現在、二重偏波基地局アンテナは、主に２種類があって、それぞれパッチアンテナと振動子アンテナである。パッチアンテナは、一般的に多層構造であって、給電モードが複雑である。振動子アンテナは、一般的に十字状に交差する直立振動子であって、直交して置く（十字状に交差しない）直立振動子もあり、多くの場合で立体構造であって、その占める放射面積が大きい。パッチアンテナは、二重偏波を実現するために、給電構造自体がすでに複雑となり、パッチアンテナの帯域幅が一般的に狭いので、広帯域および高アイソレーションを取得するために給電構造を改善させる必要があり、給電モードがより複雑となる。振動子アンテナは、一般的に放射アームと支持構造から構成され、その給電モードが一般的に複雑なバラン構造を必要とし、同軸バラン、集積バランなどの形態があり、バラン構造が一般的に支持構造部に設置される。パッチアンテナと振動子アンテナは、すべて構造が複雑であり、大規模な製造に不利となる欠点が存在し、かつそれらのほとんどが２Ｇ、３Ｇ、ＬＴＥ（４Ｇ）システムを完全にサポートする帯域幅を備えておらず、または、パターンなどの性能が理想的ではない。
【発明の概要】
【発明が解決しようとする課題】
【０００４】
これを鑑みて、本発明の実施形態は、アンテナ性能がより優れ、構造が簡単であり、製造に有利となるために、広帯域二重偏波４リーフクローバー平面アンテナを提供することを望む。
【課題を解決するための手段】
【０００５】
本発明の実施形態は、下記の技術的解決手段により実現される。
【０００６】
広帯域二重偏波４リーフクローバー平面アンテナは、アンテナ放射ユニット、反射板、第一の給電線および第二の給電線を含み、前記アンテナ放射ユニットが支持構造により反射板の上に固定され、前記アンテナ放射ユニットが平面構造であり、前記アンテナ放射ユニットが前記４リーフクローバー振動子と誘電体基板を備え、前記４リーフクローバー振動子が＋４５°偏波４リーフクローバー振動子と−４５°偏波４リーフクローバー振動子を含み、前記４リーフクローバー振動子が放射アームとマイクロストリップ線路を含み、前記放射アームが４リーフクローバー形放射アームであり、前記放射アームが第一の放射アームと第二の放射アームを含み、前記＋４５°偏波４リーフクローバー振動子と−４５°偏波４リーフクローバー振動子が中心に十字状に交差して誘電体基板上にエッチングされ、前記＋４５°偏波４リーフクローバー振動子と−４５°偏波４リーフクローバー振動子が接続しなく、前記＋４５°偏波４リーフクローバー振動子の第一の放射アームが前記＋４５°偏波４リーフクローバー振動子のマイクロストリップ線路に接続され、誘電体基板の表面にエッチングされ、前記＋４５°偏波４リーフクローバー振動子の第二の放射アームが誘電体基板の裏面にエッチングされ、前記−４５°偏波４リーフクローバー振動子の第一の放射アームが前記−４５°偏波４リーフクローバー振動子のマイクロストリップ線路に接続され、誘電体基板の裏面にエッチングされ、前記−４５°偏波４リーフクローバー振動子の第二の放射アームが誘電体基板の表面にエッチングされ、前記第一の給電線が＋４５°偏波４リーフクローバー振動子のマイクロストリップ線路に接続され、前記第二の給電線が−４５°偏波４リーフクローバー振動子のマイクロストリップ線路に接続される。
【０００７】
好ましくは、本発明の実施形態に係る広帯域二重偏波４リーフクローバー平面アンテナは、１つの放射ユニットで４５°二重偏波を実現し、前記アンテナ放射ユニットが軸対称構造であり、前記アンテナ放射ユニットが対称軸を備え、前記対称軸がアンテナ放射ユニットの中心を通り、前記対称軸が＋４５°対称軸と−４５°対称軸を含み、＋４５°対称軸に位置する１ペア（即ち２つ）の４リーフクローバー形放射アームと当該軸に位置するマイクロストリップ線路が一緒に＋４５°偏波４リーフクローバー振動子を構成し、前記＋４５°偏波４リーフクローバー振動子が＋４５°偏波を実現することに用いられ、−４５°対称軸に位置する１ペアの４リーフクローバー形放射アームと当該軸に位置するマイクロストリップ線路が−４５°偏波４リーフクローバー振動子を構成し、前記−４５°偏波４リーフクローバー振動子が−４５°偏波を実現することに用いられ、前記＋４５°偏波と−４５°偏波の間の偏波アイソレーションが３０ｄＢまで達することができる。
【０００８】
好ましくは、前記放射ユニットの放射アームは、４リーフクローバー形構造が好ましく、４リーフクローバー形放射アームが、アンテナが広帯域と良い放射特性を取得することに貢献する。前記４リーフクローバー構造は、１つの台形構造と半分の楕円形構造に分解することができ、楕円形構造は、円形構造が好ましく、台形構造は、等脚台形構造が好ましく、放射アームの長さが０．１５λ０〜０．３５λ０である。台形または楕円形のいかなる変形も、基本的に４リーフクローバー形とみなされることができる。
【０００９】
好ましくは、前記アンテナの１つの偏波４リーフクローバー振動子が励起された場合、別の偏波４リーフクローバー振動子の放射アームがアンテナの無給電ユニットとして用いられ、カップリングによりアンテナの帯域幅を強化し、＋４５°偏波４リーフクローバー振動子が励起された場合、−４５°偏波４リーフクローバー振動子が無給電ユニットとなり、−４５°偏波４リーフクローバー振動子が励起された場合、＋４５°偏波４リーフクローバー振動子が無給電ユニットとなる。隣接する２つの前記放射アームの台形斜辺の間の角度が小さいほど、カップリングが強く、隣接する２つの前記放射アームエッジの台形斜辺の間の角度範囲が０°〜４０°である。
【００１０】
好ましくは、前記給電構造が十分に簡単であり、前記４リーフクローバー振動子がマイクロストリップ線路で給電され、前記マイクロストリップ線路の特性インピーダンスが４０〜６０Ωであり、前記マイクロストリップ線路の長さ範囲が０〜０．２λ１であり、その中、λ１が誘電体基板における周波数２．２ＧＨｚに対応する波長である。
【００１１】
好ましくは、前記支持構造が断熱支持構造であり、前記断熱支持構造の高さがアンテナ放射体の反射板からの高さに依存し、高さ範囲が０．１λ０〜０．５λ０であり、λ０が自由空間周波数２．２ＧＨｚに対応する波長である。前記断熱支持構造がプラスチック棒または木棒である。
【００１２】
好ましくは、前記アンテナの反射板が側辺付き構造であり、反射板の両側が上へ折り曲げられて側辺構造を形成し、前記反射板の底面が長方形板であり、前記底板の２つの長辺のそれぞれに1つの上へ折り曲げられた側辺構造があり、側辺構造が斜辺と縦辺の２つの部分に分けられ、斜辺の折り曲げ角度が好ましく４５°であり、折り曲げ角度範囲が０−９０°であり、長さは１０ｍｍが好ましく、縦辺が底板に直交し、長さは５ｍｍが好ましく、斜辺と縦辺の長さ範囲が１ｍｍである。
【００１３】
本発明の実施形態の動作原理：１つのアンテナ放射ユニットだけで４５°二重偏波を実現し、全平面構造であり、体積が小さく、幅が１３５ｍｍだけであり、１７１０−２６９０ＭＨｚを覆うことができる広帯域と３０ｄＢの高アイソレーションを備え、アンテナ構造が対称するので、２つの偏波モードにおける放射パターンの高さが一致し、且つ高ゲイン、高偏波比および高前後比特性を取得し、当該広帯域二重偏波４リーフクローバー平面アンテナは２Ｇ、３Ｇ、ＬＴＥ（４Ｇ）システムを完全にサポートすることができる。
【００１４】
本発明の実施形態によれば、従来技術に対して次の利点と効果を持つ。
【００１５】
１．４５°二重偏波４リーフクローバー平面アンテナが＋４５°偏波４リーフクローバー振動子と−４５°偏波４リーフクローバー振動子から構成され、各偏波４リーフクローバー振動子が４リーフクローバー形放射アームとマイクロストリップ線路を含み、アンテナの放射ユニットが誘電体基板上にエッチングされ、全平面の簡単な構造を備え、製造が簡単である。
【００１６】
２．アンテナの放射アームは、４リーフクローバー形放射アームを使用して、アンテナが広帯域と安定な放射性能を取得することに貢献し、その属するアンテナ放射ユニットの１つの偏波４リーフクローバー振動子が励起された場合、別の偏波４リーフクローバー振動子がアンテナの無給電ユニットとして用いられ、カップリングによりアンテナの帯域幅を強化し、マイクロストリップ線路で４リーフクローバー振動子に給電するので、広帯域バランなどの複雑な給電構造を使用していなくても、広帯域性能を取得することができて、１７１０−２６９０ＭＨｚを覆うことができる。
【００１７】
３．アンテナは、１つの放射ユニットだけで±４５°二重偏波を実現し、構造が小型化であり、幅が１３５ｍｍだけであり、１５０ｍｍの業界標準より小さい。当該アンテナは、側辺付き反射板を使用し、放射パターンが安定し、反射板に対する設計により６５  ５°の水平電力半値ビーム幅を実現し、同時に高ゲインと高前後比性能を確保する。
【００１８】
４．基地局アンテナアレイを構成する場合、ユニット間隔が最も高い周波数の１つの波長まで達することができるが、高周波数帯域にグレーティングローブがなく、垂直面パターンが安定する。
【００１９】
５．構造が新規であり、放射ユニットが４リーフクローバー形となり、構造が簡単で全平面であり、構成部材が少なく、容易に加工して成形し、かつ広帯域、高アイソレーション、安定な放射パターン、高ゲイン、高偏波比および高前後比の特性を備える。
【図面の簡単な説明】
【００２０】
【図１】広帯域二重偏波４リーフクローバー平面アンテナの３次元構造図である。
【図２】広帯域二重偏波４リーフクローバー平面アンテナの正面図である。
【図３】広帯域二重偏波４リーフクローバー平面アンテナの正面断面図である。
【図４】広帯域二重偏波４リーフクローバー平面アンテナの左側面断面図である。
【図５】広帯域二重偏波４リーフクローバー平面アンテナの帯域幅実測結果図である。
【００２１】
図１〜図５における符号の説明は、次の通りである。
【００２２】
１．アンテナ放射ユニット；２．反射板；３Ａ、第一の給電線；３Ｂ．第二の給電線４；４．支持構造；５Ａ．＋４５°偏波４リーフクローバー振動子の第一の放射アーム；５Ｂ．＋４５°偏波４リーフクローバー振動子の第二の放射アーム；５Ｃ．−４５°偏波４リーフクローバー振動子の第一の放射アーム；５Ｄ．−４５°偏波４リーフクローバー振動子の第二の放射アーム；６Ａ．＋４５°偏波４リーフクローバー振動子のマイクロストリップ線路；６Ｂ．−４５°偏波４リーフクローバー振動子のマイクロストリップ線路；７．誘電体基板；８．非金属非金属化ビアホール；９．金属化ビアホール；１０．側辺。
【発明を実施するための形態】
【００２３】
以下に図面と具体的な実施形態を参照して本発明をさらに詳しく説明するが、本発明の実施形態は、これに限られない。
【００２４】
実施形態
図１に示すように、本発明の実施形態に係る広帯域二重偏波４リーフクローバー平面アンテナは、放射ユニット１、反射板２、給電線３および支持構造４を含む。アンテナ放射ユニット１は、支持構造４により反射板２の真上に固定され、反射板２からの距離が３６ｍｍである。
【００２５】
図２は広帯域二重偏波４リーフクローバー平面アンテナの正面図である。放射ユニット１は、４つの放射アーム５Ａ−５Ｄとマイクロストリップ線路６Ａ、６Ｂを含み、放射アーム５Ａ−５Ｄとマイクロストリップ線路６Ａ、６Ｂが同じ誘電体基板７上にエッチングされ、誘電体基板７が高周波数板ＲＯ４３５０Ｂを使用し、厚さが０．７６ｍｍであり、比誘電率が３．４８であり、放射アーム５Ａ、５Ｄが誘電体基板の上面にエッチングされ、放射アーム５Ｂ、５Ｃが誘電体基板の下面にエッチングされ、マイクロストリップ線路６Ａが誘電体基板の上面にエッチングされ、マイクロストリップ線路６Ｂが誘電体基板の下面にエッチングされる。放射アーム５Ａ、放射アーム５Ｂおよびマイクロストリップ線路６Ａが＋４５°偏波４リーフクローバー振動子を構成し、放射アーム５Ａが＋４５°偏波４リーフクローバー振動子の第一の放射アームであり、放射アーム５Ｂが＋４５°偏波４リーフクローバー振動子の第二の放射アームである。放射アーム５Ｃ、放射アームＤおよび給電用マイクロストリップ線路６Ｂが−４５°偏波４リーフクローバー振動子を構成し、放射アーム５Ｃが−４５°偏波４リーフクローバー振動子の第一の放射アームであり、放射アーム５Ｄが−４５°偏波４リーフクローバー振動子の第二の放射アームである。
【００２６】
放射アーム５Ａ−５Ｄの形状が４リーフクローバー形状と十分に類似し、４つの放射アームが１つの４リーフクローバーを構成する。放射アームは、１つの等脚台形と長軸により分割された半楕円から構成され、等脚台形の上底が給電用マイクロストリップ線路の幅と同じで１．６ｍｍであり、高さが１６．２ｍｍであり、下底の幅が３２．３５ｍｍであり、２つのウエストと底辺との角度が４６．５°であり、特殊な楕円形――円形を使用するのが好ましく、その直径が３２．３５ｍｍであり、台形の底辺の長さと同じであり、放射アームの全長が３２．４ｍｍである。
【００２７】
本発明の実施形態は、１つの放射ユニットで４５°二重偏波を実現し、１つの偏波４リーフクローバー振動子が励起された場合、別の偏波４リーフクローバー振動子の放射アームがアンテナの無給電ユニットとして用いられ、隣接する放射アームの間のカップリングによりアンテナの帯域幅を強化し、例えば放射アーム５Ａと放射アーム５Ｄ、放射アーム５Ｄと放射アーム５Ｂ、放射アーム５Ｂと放射アーム５Ｃ、放射アーム５Ｃと放射アーム５Ａの間のカップリングであり、隣接する放射アームの間の角度が小さいほど、カップリングが強く、角度が０〜４０°の範囲に維持される。マイクロストリップ線路６Ａ、６Ｂが相互に直交し、それぞれ＋／−４５°偏波４リーフクローバー振動子に給電することに用いられ、マイクロストリップ線路の幅が１．６ｍｍであり、対応する特性インピーダンスが５０Ωであり、給電用マイクロストリップ線路の長さがいずれも５ｍｍである。放射アームの間のカップリング作用およびマイクロストリップ線路のカップリング給電により、アンテナは、１７１０−２６９０ＭＨｚを完全に覆うすることができる帯域幅を備え、同時に、１つの偏波４リーフクローバー振動子が励起された場合、別の偏波４リーフクローバー振動子の給電ポートのカップリング電流が小さく、したがって３０ｄＢの高アイソレーションを取得する。
【００２８】
図３と図４に示すように、２本の給電線３Ａ、３Ｂでそれぞれ＋４５°偏波４リーフクローバー振動子と−４５°偏波４リーフクローバー振動子に給電し、給電線が軟質同軸または硬質同軸などであってよく、本実施形態は、軟質同軸を使用し、＋４５°偏波４リーフクローバー振動子に対して、その第二の放射アーム５Ｂに非金属非金属化ビアホール８が設置され、第一の給電線３Ａのコアが非金属非金属化ビアホール８を貫通してマイクロストリップ線路６Ａに溶接され、第一の給電線３Ａの外部導体が＋４５°偏波４リーフクローバー振動子の第二の放射アーム５Ｂに溶接され、−４５°偏波４リーフクローバー振動子に対して、その第二の放射アーム５Ｄに金属化ビアホール９が設置され、第二の給電線３Ｂのコアがマイクロストリップ線路６Ｂに溶接され、第二の給電線３Ｂの外部導体が金属化ビアホール９を貫通し、放射アーム５Ｄに溶接され、当該アンテナが２つだけの溶接点を必要とし、アンテナが良い相互変調性能を取得することに有利となる。
【００２９】
反射板２は、側辺１０付き構造を使用し、前記側辺が反射板の表面から突出し、反射板２の長さが２００ｍｍであり、総幅が１３５ｍｍであり、反射板２は、アルミ板、銅板などの板を使用することができ、反射板２の底板が板の幅を保留して１２０ｍｍであり、２つの側辺が上へ２回折り曲げられ、１回目の折り曲げ角度が１３５°であり、折り曲げ部分の長さが１０ｍｍであり、２回目の折り曲げ角度が１３５°であり、折り曲げ部分の長さが５ｍｍである。
【００３０】
図５は本実施形態の実測されたアンテナ帯域幅である。この図から分かるように、本発明の広帯域二重偏波４リーフクローバー平面アンテナは、１．７−２．７ＧＨｚの帯域幅を備え、エコー損失が−１５ｄＢまで達し、１７１０−２６９０ＭＨｚの周波数帯域を完全に覆うことができ、且つ当該広帯域に、偏波アイソレーションが３０ｄＢ以上である。
【００３１】
本発明の実施形態は、１つの放射ユニットだけで４５°二重偏波を実現でき、必要な配置スペースが小さく、基地局アンテナの小型化に貢献する。基地局アンテナアレイを構成する場合、放射ユニット間の間隔が１１０ｍｍ（λ２、λ２が自由空間周波数２．７ＧＨｚに対応する波長である）まで達することができるが、高周波数帯域にグレーティングローブがなく、２つの偏波モードにおいて、水平面、垂直面放射パターンが１７１０−２６９０ＭＨｚの周波数帯域に安定する。８ユニット均一直線アレイゲインがが１７ｄＢｉまで高く、ゲインが１７１０−２６９０ＭＨｚの周波数帯域に２ｄＢ以下変化する。
【００３２】
本発明の実施形態は、全平面の簡単な構造を備え、体積が小さく、製造が簡単であり、帯域幅が大きく、アイソレーションが高く、放射パターンが安定し、ゲインが高い特徴を備え、移動通信基地局アンテナとして使用されるのに十分に適する。
【００３３】
前記実施形態は、本発明の好ましい実施形態であるが、本発明の実施形態は、前記実施形態の制限を受けなく、他のいかなる、本発明の要旨と原則から逸脱しなくて行われた変更、修飾、置換、組み合わせ、簡略化がいずれも等価な置換方式であって、本発明の保護範囲に含まれる。
【産業上の利用可能性】
【００３４】
本発明の実施形態は、１つのアンテナ放射ユニットだけで４５°二重偏波を実現し、全平面構造であり、体積が小さく、幅が１３５ｍｍだけであり、１７１０−２６９０ＭＨｚを覆うことができる広帯域と３０ｄＢの高アイソレーションを備え、アンテナ構造が対称するので、２つの偏波モードにおける放射パターンの高さが一致し、且つ高ゲイン、高偏波比および高前後比特性を取得し、当該広帯域二重偏波４リーフクローバー平面アンテナが２Ｇ、３Ｇ、ＬＴＥ（４Ｇ）システムを完全にサポートすることができ、全平面の簡単な構造を備え、体積が小さく、製造が簡単であり、帯域幅が大きく、アイソレーションが高く、放射パターンが安定し、ゲインが高い特徴を備える。
【図１】
2016524414.tif 000003
【図２】
2016524414.tif 000004
【図３】
2016524414.tif 000005
【図４】
2016524414.tif 000006
【図５】
2016524414.tif 000007
【国際調査報告】
2016524414.tif 000008
2016524414.tif 000009
2016524414.tif 000010
2016524414.tif 000011